(57)【要約】【課題】センサの消費電力低減を行い、電力低減時にセンサの出力が変化してしまっても、操作者が復帰要求操作をしたと誤検知することを防ぐようにする省電力センサ検出装置を提供する。【解決手段】省電力状態において、センサ信号検出器６は電源スイッチ１、圧板／ＤＦ開閉検知センサ２、原稿有無検知センサ３からの信号を監視しており、操作者の必要に応じて割込みコントローラ１２に対して復帰要因の信号を発生するが、連続検知／間欠検知切替器９、タイマ１０、ＣＰＵ１３から発生するそれぞれの信号のタイミングによりスイッチ７はそのＯＮ／ＯＦＦを制御され、電源スイッチ１、圧板／ＤＦ開閉検知センサ２、原稿有無検知センサ３への電力供給の通電／遮断制御が行われる。【選択図】　　　　図３
2004139008.tif 000002
【特許請求の範囲】
【請求項１】
機器の状態を検出するセンサと、センサの出力の変化を検出する検出手段と、前記検出手段がセンサの出力の変化を検出したことを記憶する記憶手段を有する省電力センサ検出装置において、
センサの消費電力を一時的に低減する低減手段と、センサの出力の変化を検出する前記検出手段の動作を一時的に停止する停止手段と、センサの消費電力を一時的に低減する前記低減手段とセンサの出力の変化を検出する前記検出手段の動作を一時的に停止する前記停止手段とを同期して行う同期手段とを有することを特徴とする省電力センサ検出装置。
【請求項２】
センサの消費電力を一時的に低減する前記低減手段として、センサへの電源供給を遮断する遮断手段を有することを特徴とする請求項１に記載の省電力センサ検出装置。
【請求項３】
センサの出力の変化を検出する前記検出手段の動作を一時的に停止する前記停止手段として、センサ出力をサンプルホールドする保持手段を有することを特徴とする請求項１に記載の省電力センサ検出装置。
【請求項４】
センサの出力の変化を検出する前記検出手段の動作が一時的に停止した状態から稼動状態に復帰したときは、停止した状態に入る前のセンサの出力と復帰したときのセンサの出力とを比較し、センサの出力の変化を検出する比較手段を有することを特徴とする請求項１に記載の省電力センサ検出装置。
【請求項５】
センサの出力の変化を検出する前記検出手段の動作を一時的に停止する前記停止手段をセンサの消費電力を一時的に低減する前記低減手段より前に行い、センサの出力の変化を検出する前記検出手段の動作が一時的に停止した状態から稼動状態への復帰を、センサの消費電力を一時的に低減した状態から通常状態へ復帰するよりも一定時間遅らせることを特徴とする請求項１に記載の省電力センサ検出装置。
【請求項６】
センサの消費電力を一時的に低減する前記低減手段を周期的に行い、周期を５００ミリ秒以下とし、低減しない時間を１ミリ秒以上とすることを特徴とする請求項１に記載の省電力センサ検出装置。
【請求項７】
機器の状態を検出するセンサと、センサの出力の変化を検出する検出手段と、前記検出手段がセンサの出力の変化を検出したことを記憶する記憶手段を有し、
センサの消費電力を一時的に低減する低減手段と、センサの出力の変化を検出する前記検出手段の動作を一時的に停止する停止手段とを有する省電力センサ検出装置において、
センサの消費電力の一時的な低減を開始する直前のみセンサの出力の変化を検出する前記検出手段の動作を行うことを特徴とする省電力センサ検出装置。
【請求項８】
機器の状態を検出するセンサからの信号を接続するデジタル入力ポートを有することを特徴とする請求項７に省電力センサ検出装置。
【請求項９】
センサの消費電力を一時的に低減している期間は、センサの出力の変化を検出する検出手段の出力を監視し、センサの消費電力を低減していない期間は前記デジタル入力ポートの出力を監視することを特徴とする請求項８に記載の省電力センサ検出装置。
【請求項１０】
機器の状態を検出するセンサと、センサの出力の変化を検出する検出手段と、前記検出手段がセンサの出力の変化を検出したことを記憶する記憶手段を有し、
センサの消費電力を一時的に低減する低減手段と、センサの出力の変化を検出する前記検出手段の動作を一時的に停止する停止手段とを有する省電力センサ検出装置において、
前記低減手段によるセンサの消費電力の一時的な低減と、前記停止手段によるセンサの出力の変化を検出する前記検出手段の動作の一時的な停止とを同期して周期的に行い、その周期時間に対する停止時間の割合を複数個設定する割合設定手段を有することを特徴とする省電力センサ検出装置。
【発明の詳細な説明】
【０００１】
【発明の属する技術分野】
本発明は、オフモードやスリープモードからの復帰手段の監視センサ回路を備えた省電力センサ検出装置に関するもので、特にオフモードやスリープモード時の消費電力を低減する省電力センサ検出装置に関する。
【０００２】
【従来の技術】
従来の複写機能、Ｆａｘ機能、プリンタ機能、スキャナ機能を有する複合機能複写機では、複合機能複写機を使用していない期間の消費電力を低減するために、すぐに動作を開始できる待機状態が一定時間以上連続して続く時は、熱定着装置の定着ヒータや、一部の制御回路への通電電力を低減もしくは遮断する省電力状態に自動的に移行している。つまり、使用者の復帰要求操作と接続した他の機器からの要求を受け付けできるスリープモードに移行している。
スリープモードの省電力状態では、操作部の電源ＬＥＤのみ表示点灯されている。使用者の操作は、電源スイッチのＯＮや、圧板もしくはドキュメントフィーダ（以下ＤＦと称する）の開および閉や、ＤＦへの原稿セットによる待機状態への復帰のみが受け付けられている。
そのために、読取部上面に設置された圧板もしくはＤＦの開閉検知センサやＤＦ内に設置された原稿有無検知センサは通電し操作させる必要がある。これらのセンサには一般的な透過形フォトセンサとフィラを用いており、５Ｖ±０．５Ｖの電源を供給し約１５ｍＡの電流を消費している。センサ２個で約１５０ｍＷの電力を消費することになる。ＰＳＵでのＡＣ入力から５Ｖ出力への変換効率も考慮するとＡＣ入力で約２００ｍＷとなり、省電力状態としては大きな割合を有している。
また、複写機能のみを有する複写機の省電力状態であるオフモードにおいても同じ問題がある。
【０００３】
図１６と図１７に従来の復帰要求操作検出装置を示す。各センサと電源スイッチ１へは、５ＶＥ電源が常に供給されていて、消費電力が大きい。
【０００４】
なお、省電力状態での動作を行うさい、サブ制御部が原稿センサ、キーセンサの状態を監視しつつ、所定の着信信号が検出されると、メイン制御部への電源を投入すると共に、着信信号が検出された旨を前記メイン制御部に通知して起動することにより、操作性の向上をはかっているものがある（特許文献１参照）。
【０００５】
【特許文献１】
特開２０００−１２５０３０号公報
【０００６】
【発明が解決しようとする課題】
前述したようにスリープモード時の消費電力は、ＤＦの開閉検知センサやＤＦ内に設置された原稿有無検知センサの通電に大きな割合が占められており、長時間続くとその消費電力量は無視できない。
また、省電力状態で電力低減の処理をしているに過ぎないにも関わらず、操作者が復帰要求操作をしたと誤検知する可能性もある。
本発明では、このような状況を鑑みる。具体的には各請求項にて以下のことを目的とする。
【０００７】
請求項１の発明では、センサの消費電力低減を図ると共に、電力低減時にセンサの出力が変化してしまっても、操作者が復帰要求操作をしたと誤検知することを防ぐことを目的とする。
【０００８】
請求項２の発明では、センサの消費電力を０にして、もっとも大きな電力低減効果を得ることを目的とする。
【０００９】
請求項３の発明では、センサの消費電力低減時にセンサの出力が変化してしまっても、操作者が復帰要求操作をしたと誤検知することを防ぐことを目的とする。
【００１０】
請求項４の発明では、センサの消費電力を低減している間に操作者が復帰要求操作をしても、センサの消費電力を通常状態に復帰させたときに復帰要求操作があったことを検出することを目的とする。
【００１１】
請求項５の発明では、センサの消費電力低減時にセンサの出力が変化してしまっても、操作者が復帰要求操作をしたと誤検知することを防ぐことを目的とする。
【００１２】
請求項６の発明では、操作者が復帰要求操作の応答性を良くし、確実な要求の検知を行うことを目的とする。
【００１３】
請求項７の発明では、センサの消費電力低減を図ると共に、電力低減時にセンサの出力が変化してしまっても、操作者が復帰要求操作をしたと誤検知することを防ぐことを目的とする。
【００１４】
請求項８の発明では、センサの出力の状態をいつでも検知できるようにすることを目的とする。
【００１５】
請求項９の発明では、センサの消費電力を低減しているかしていないかにより、適切な信号を監視することにより、常にセンサの出力状態を把握することを目的とする。
【００１６】
請求項１０の発明では、センサとエッジ検出回路を間欠動作させ、スリープモードやオフモードの省電力状態ではセンサの停止時間を長くし、待機状態や動作状態ではセンサの停止時間を短くすることにより、低電力が重要な省電力状態ではセンサの消費電力をより低減し、検知時間が重要な待機状態や動作状態では短時間で変化を検知できるようにすることを目的とする。
【００１７】
【課題を解決するための手段】
かかる目的を解決するため、請求項１に記載の発明は、機器の状態を検出するセンサと、センサの出力の変化を検出する検出手段と、検出手段がセンサの出力の変化を検出したことを記憶する記憶手段を有する省電力センサ検出装置において、センサの消費電力を一時的に低減する低減手段と、センサの出力の変化を検出する検出手段の動作を一時的に停止する停止手段と、センサの消費電力を一時的に低減する低減手段とセンサの出力の変化を検出する検出手段の動作を一時的に停止する停止手段とを同期して行う同期手段とを有することを特徴とする。
【００１８】
請求項２に記載の発明は、請求項１に記載の発明において、センサの消費電力を一時的に低減する低減手段として、センサへの電源供給を遮断する遮断手段を有することを特徴とする。
【００１９】
請求項３に記載の発明は、請求項１に記載の発明において、センサの出力の変化を検出する検出手段の動作を一時的に停止する停止手段として、センサ出力をサンプルホールドする保持手段を有することを特徴とする。
【００２０】
請求項４に記載の発明は、請求項１に記載の発明において、センサの出力の変化を検出する検出手段の動作が一時的に停止した状態から稼動状態に復帰したときは、停止した状態に入る前のセンサの出力と復帰したときのセンサの出力とを比較し、センサの出力の変化を検出する比較手段を有することを特徴とする。
【００２１】
請求項５に記載の発明は、請求項１に記載の発明において、センサの出力の変化を検出する検出手段の動作を一時的に停止する停止手段をセンサの消費電力を一時的に低減する低減手段より前に行い、センサの出力の変化を検出する検出手段の動作が一時的に停止した状態から稼動状態への復帰を、センサの消費電力を一時的に低減した状態から通常状態へ復帰するよりも一定時間遅らせることを特徴とする。
【００２２】
請求項６に記載の発明は、請求項１に記載の発明において、センサの消費電力を一時的に低減する低減手段を周期的に行い、周期を５００ミリ秒以下とし、低減しない時間を１ミリ秒以上とすることを特徴とする。
【００２３】
請求項７に記載の発明は、機器の状態を検出するセンサと、センサの出力の変化を検出する検出手段と、検出手段がセンサの出力の変化を検出したことを記憶する記憶手段を有し、センサの消費電力を一時的に低減する低減手段と、センサの出力の変化を検出する検出手段の動作を一時的に停止する停止手段とを有する省電力センサ検出装置において、センサの消費電力の一時的な低減を開始する直前のみセンサの出力の変化を検出する検出手段の動作を行うことを特徴とする。
【００２４】
請求項８に記載の発明は、請求項７に記載の発明において、機器の状態を検出するセンサからの信号を接続するデジタル入力ポートを有することを特徴とする。
【００２５】
請求項９に記載の発明は、請求項８に記載の発明において、センサの消費電力を一時的に低減している期間は、センサの出力の変化を検出する検出手段の出力を監視し、センサの消費電力を低減していない期間はデジタル入力ポートの出力を監視することを特徴とする。
【００２６】
請求項１０に記載の発明は、機器の状態を検出するセンサと、センサの出力の変化を検出する検出手段と、検出手段がセンサの出力の変化を検出したことを記憶する記憶手段を有し、センサの消費電力を一時的に低減する低減手段と、センサの出力の変化を検出する検出手段の動作を一時的に停止する停止手段とを有する省電力センサ検出装置において、低減手段によるセンサの消費電力の一時的な低減と、停止手段によるセンサの出力の変化を検出する検出手段の動作の一時的な停止とを同期して周期的に行い、その周期時間に対する停止時間の割合を複数個設定する割合設定手段を有することを特徴とする。
【００２７】
【発明の実施の形態】
以下、本発明の実施の形態を図面を参照して説明する。
【００２８】
図１に示す複合機能複写機では、コピー機能、ドキュメントボックス機能、ファックス機能、プリンタ機能、スキャナ機能を有している。また、省電力状態のスリープモードにおいては、定着ヒータへの通電を停止し、図１の地が白色のユニットへの通電を停止して消費電力を低減している。この通電制御はコントローラ４からのＰＳＵ起動信号によりＰＳＵ５を制御して行われる。
【００２９】
ユーザが省電力状態のスリープモードから待機状態へ復帰させる手段は、電源スイッチ１のＯＮ、圧板またはＤＦの開および閉、ＤＦへの原稿セットの３手段４動作があり、それぞれ動作を検知した信号はコントローラ４へ送られ、コントローラ４が前記ＰＳＵ起動信号を操作してスリープモード期間中通電が停止していたユニットへ通電を開始する。
【００３０】
圧板またはＤＦはどちらかが原稿読取装置に取付けられる。圧板／ＤＦ開閉検知センサ２は、どちらが取付けられても開閉を検知することができる。また、ＤＦではなく圧板を取付けたときはＤＦが無いわけで、ユーザの復帰手段は、電源スイッチ１のＯＮ、圧板の開および閉の２手段３動作となる。
【００３１】
また、ファックス制御板からの受信信号、ホストコンピュータと接続するＰＨＹボードや１３９４ボードからの受信信号によっても、スリープモードからの復帰動作を行う。
【００３２】
図２に示すＰＳＵ５は、メインコンバータとサブコンバータの２つのコンバータを有す。スリープモードにおいては、ＰＳＵ起動信号によりサブコンバータは停止し、メインコンバータの５Ｖ出力に入っているスイッチがＯＦＦする。したがって、電力が供給されるのは、５ＶＥ電源のみになる。他の５Ｖ、１２Ｖ、−１２Ｖ、２４Ｖ電源は電力の供給が停止する。
【００３３】
＜第１の実施形態＞
図３に示す本発明の第１の実施形態としての復帰要求操作検出装置は、コントローラ４上にあるセンサ信号検出器６、スイッチ７、スイッチ遅延器８、連続検知／間欠検知切替器９、タイマ１０、レベル安定化抵抗１１と、圧板／ＤＦ開閉検知センサ２、原稿有無検知センサ３、電源スイッチ１からなる。
【００３４】
センサ信号検出器６はＸＥＮＡＢＬＥ信号がＬレベルにある間は常に、各センサと電源スイッチ１からの信号を監視していて、信号のレベルが変化すると割込みコントローラ１２に対して変化後の状態に対応した信号を発生する。ＣＰＵ１３は、あらかじめ割込みコントローラ１２に受け付ける復帰要因をセットしておく。ＤＦを取付けた装置の場合は、圧板閉、圧板開、原稿セット、電源ＳＷＯＮの４つである。割込みコントローラ１２は、受け付ける復帰要因の信号を受けるとＣＰＵ１３に対して割込み要求信号：ＩＮＴを発生する。
【００３５】
各センサと電源スイッチ１への通電制御、センサ信号検出器６のエッジ検知動作制御は、タイマ１０が発生する間欠信号とＣＰＵ１３が発生する連続信号により制御される。タイマ１０からは一定周期のクロックが発生している。
【００３６】
連続信号がＨレベルにあるときは、ＸＥＮＡＢＬＥ信号は常にＬレベルになり、スイッチ７はＯＮして各センサと電源スイッチ１への通電が行われる。センサ信号検出器６のエッジ検知動作も常に行われる。連続信号がＬレベルにあるときは、ＸＥＮＡＢＬＥ信号は間欠信号により周期的にＨレベルになり、スイッチ７はＯＦＦして各センサと電源スイッチ１への電力供給通電が遮断され、センサ信号検出器６のエッジ検知動作は停止する。
【００３７】
図４にセンサ信号検出器６の詳細を示す。各センサと電源スイッチ１からの信号はそれぞれのサンプルホールド器とエッジ検出器とメモリにより、信号レベルの変化後の状態を検出する。ＸＥＮＡＢＬＥ信号によりサンプルホールド器を操作して、エッジ検知動作を停止している間は、停止する前の状態を保持する。エッジ検出器は、サンプルホールド器の出力を見て、立上りエッジと立ち下がりエッジを検出し、立上りと立ち下がりごとのメモリをセットする。各メモリの出力がセンサ出力器の出力として出力される。また、メモリクリア信号を受けると各メモリはリセットされる。
【００３８】
センサ信号検出器６内のＤ−ＦＦ、シフトレジスタには図示していない発振器からの内部クロックが供給されている。Ｄ−ＦＦを１段通過するたびに１内部クロック周期の時間遅延が発生するが、間欠信号の周期に比べて十分短いために、シフトレジスタで発生する遅延２以外のセンサ信号検出器６内の遅延は０として以下のタイミングの説明を行う。
【００３９】
図５に間欠信号、連続信号と電源遮断、エッジ検知動作のタイミングを示している。前述のように連続信号がＨレベルにある間は、連続検知／間欠検知切替器９の出力であるＸＥＮＡＢＬＥ信号はＬレベルにあり、各センサの電源と、各センサと電源スイッチ１の信号のプルアップ抵抗の電源である５ＶＳにはスイッチ７を通じて５ＶＥ電源が供給されている。スイッチ７で約０．３Ｖの電圧降下が発生するので５ＶＳ電源の電圧は約４．７Ｖになっている。電源が供給されているので各センサと電源スイッチ１の検知動作は稼動状態にある。また、センサ信号検出器６のエッジ検知動作も稼動状態にあり、いつでも状態の変化を検出できる。
【００４０】
連続信号がＬレベルになると間欠信号によりＸＥＮＡＢＬＥのレベルが変化する。連続信号がＬレベルになったとき間欠信号がＬレベルだったら、図５の▲１▼に示すようにＸＥＮＡＢＬＥ信号がＨレベルになる。そうすると同時にセンサ信号検出器６のエッジ検知動作は停止状態になる。スイッチ遅延器８で発生する遅延１の時間後にはスイッチ７がＯＦＦして５ＶＳは５ＶＥから遮断され、レベル安定化抵抗１１により０Ｖになる。レベル安定化抵抗１１は、５ＶＳの電圧が完全０Ｖまで落ちないでセンサ信号検出器６の入力がＨレベルでもＬレベルでもない不安定な状態になることがないようにするために５ＶＳとＧＮＤ間に挿入する。
【００４１】
同時に各センサと電源スイッチ１の検知動作は停止状態になる。したがって、各センサと電源スイッチ１の検知動作が停止状態になる前にセンサ信号検出器６のエッジ検知動作が停止状態になり、確実に各センサと電源スイッチ１の検知動作が停止状態になる前の状態を保持できる。
【００４２】
次に▲２▼に示すように間欠信号がＨレベルになると、ＸＥＮＡＢＬＥ信号がＬレベルになり、スイッチ遅延器８で発生する遅延１の時間後はスイッチ７がＯＮして５ＶＳ電源は通電し各センサと電源スイッチ１の検知動作は稼動状態に戻る。間欠信号がＨレベルになってから図４のサンプル遅延器が発生する遅延２の時間後にはセンサ信号検出器のエッジ検知動作は稼動状態に戻る。遅延２の時間の方が遅延１の時間より長いので、センサ信号検出器のエッジ検知動作が稼動状態に戻った時には各センサと電源スイッチの検知動作はすでに安定した稼動状態になっている。
【００４３】
次に▲３▼に示すように間欠信号がＬレベルになると、ＸＥＮＡＢＬＥ信号がＨレベルになり▲１▼と同じ動作を繰り返す。したがって、連続信号がＬレベルの時は５ＶＳ電源が供給されるデューティーは、間欠信号のＬレベルのデューティーによる。
電源供給デューティー＝Ｔ２／（Ｔ１＋Ｔ２）　　Ｔ１、Ｔ２は図５に示す。
【００４４】
図６に圧板またはＤＦを開閉した場合を例に図４のセンサ信号検出器６の動作を示す。圧板／ＤＦ開閉検知センサ２の出力である圧板開閉信号は、圧板またはＤＦが閉じているときにＨレベルになり、開いているときにＬレベルになる。
【００４５】
図６の▲１▼に示すように圧板またはＤＦが開けられて圧板開閉信号がＨレベルからＬレベルに変化したときに、ＸＥＮＡＢＬＥ信号がＬレベルでサンプル遅延器の出力ＯＵＴ信号もＬになっていると、エッジ検知動作稼動期間であり即座にサンプルホールド器１の出力ＯＵＴ信号はＨレベルからＬレベルに変化する。この立ち下がりエッジをエッジ検出器１が検出しＯＵＴ＿Ｆ信号を発生してメモリ１の圧板開信号をＨレベルにする。
【００４６】
図６の▲２▼に示すように圧板またはＤＦが閉じられてもＸＥＮＡＢＬＥ信号がＨレベルの間は、センサの検知動作停止期間であり５ＶＳ電源が０Ｖなので圧板開閉信号はＬレベルのままで変化しない。ＸＥＮＡＢＬＥ信号がＬレベルになり遅延１の時間後にセンサの検知動作稼動期間になり圧板開閉信号がＬレベルからＨレベルに変化するがまだエッジ検知動作停止期間であり、サンプル遅延器の出力ＯＵＴ信号がまだＨレベルなのでサンプルホールド器の出力は変化しない。遅延２の時間が経ってサンプル遅延器の出力ＯＵＴ信号がＬレベルになりエッジ検知動作稼動期間になった時に圧板開閉信号がまだＨレベルのままだと▲３▼で示すようにサンプルホールド器１の出力はＬレベルからＨレベルに変化する。この立上りエッジをエッジ検出器１が検出しＯＵＴ＿Ｒ信号を発生してメモリ１の圧板閉信号をＨレベルにする。
【００４７】
図６の▲４▼に示すように圧板またはＤＦが閉じているときにＸＥＮＡＢＬＥ信号がＨレベルになると圧板／ＤＦ開閉検知センサ２への電源供給が遮断され、レベル安定化抵抗１１により圧板開閉信号はＨレベルからＬレベルに変化する。しかしこの時はサンプル遅延器の出力ＯＵＴ信号がＨレベルにありエッジ検知動作停止期間であるのでサンプルホールド器の出力はＨレベルのままで変化しない。
【００４８】
図６の▲５▼に示すようにメモリクリア信号を受けるとメモリはリセットされ、圧板開信号も圧板閉信号もＬレベルになる。
【００４９】
図７にＤＦに原稿をセットした場合を例に第１の実施形態の復帰要求操作検出装置を用いた複写機全体の制御を示す。
【００５０】
ＣＰＵ１３は、あらかじめ設定された待機状態での時間経過などのスリープ状態への移行条件が成立すると、ＰＳＵ起動信号を使って５ＶＥ電源以外の電源供給を停止する。次に連続検知／間欠検知切替器９への連続信号をＬレベルにして間欠検知状態にする。次に自分自身を待機状態に移行させ消費電力を少なくさせ、スリープ状態にする。
【００５１】
図７の▲１▼に示すように使用者がＤＦに原稿をセットしてから最初のエッジ検知動作稼動期間になった時に、センサ信号検出器６から原稿セット信号が割込みコントローラ１２に発生する。割込みコントローラ１２にはＣＰＵ１３があらかじめ原稿セットを割込み発生条件として設定していたので、ＩＮＴ信号をＣＰＵ１３に対して発生する。するとＣＰＵ１３の動作状態は通常状態に復帰し、割込みコントローラ１２の要因レジスタを読み、スリープモードからの復帰要求がどの手段から発生したのかを検出する。
【００５２】
要因レジスタを読まれた割込みコントローラ１２は、センサ信号検出器６に対しメモリクリア信号を発生する。これによりセンサ信号検出器６の原稿セット信号はクリアされる。
【００５３】
図７の▲２▼に示すように復帰要求がＤＦへの原稿セットにより発生したことがわかったＣＰＵ１３は、あらかじめ決められた手順で複写機の状態をスリープモードから待機モードへ移行させる。
【００５４】
前述のようにスリープモードでの圧板／ＤＦ開閉検知センサ２と原稿有無検知センサ３の平均消費電力を小さくするためには、通電時間のデューティーを小さくすれば良い。すなわち周期を長くして、通電時間を短くすれば良い。しかし、周期を長くすると、使用者が復帰要求の操作をしてから実際に復帰要求をＣＰＵ１３が検出するまでの時間が長くなる場合があり、５００ミリ秒より周期を長くすると操作性の悪化が顕著になってしまう。特に電源スイッチ１は、操作者が押下してＯＮになっても手を放すとＯＦＦしてしまうので、押す時間が周期よりも短いと押されたことをまったく検知できなくなってしまい操作性が特に悪くなる。
【００５５】
また、通電時間を短くすると通電を開始してからセンサの動作が安定するまでの時間を確保できなくなってしまうので１ミリ秒より通電時間を短くするのは安定した動作を得られなくなってしまう。
【００５６】
２００ミリ秒の周期で通電時間を２ミリ秒にした場合、センサの平均消費電力は１／１００になり、良好な操作性と安定した動作が得られる。
【００５７】
＜第２の実施形態＞
図８に示す本発明の第２の実施形態としての復帰要求操作検出装置は、コントローラ４上にあるセンサ信号検出器６、スイッチ７、スイッチ遅延器８、連続検知／間欠検知切替器９、タイマ１０、レベル安定化抵抗１１、ＰＩＯ１４と、圧板／ＤＦ開閉検知センサ２、原稿有無検知センサ３、電源スイッチ１からなる。図３との差異は、ＣＰＵ１３に接続されたＰＩＯ１４が追加されていて各センサと電源スイッチ１の信号がＰＩＯ１４にも接続されていることである。
【００５８】
図９にセンサ信号検出器６の詳細を示す。図４との差異は、各センサと電源スイッチ１からの信号をまずサンプルホールド器の代わりにラッチで受けること、およびＸＥＮＡＢＬＥ信号のサンプル遅延器を削除したことである。
【００５９】
各センサと電源スイッチ１からの信号はそれぞれのラッチとエッジ検出器とメモリにより、信号レベルの変化後の状態を検出する。ＸＥＮＡＢＬＥ信号によりラッチを操作して、エッジ検知動作を停止している間は、停止する前の状態を保持する。エッジ検出器は、ラッチの出力を見て、立上りエッジと立ち下がりエッジを検出し、立上りと立ち下がりごとのメモリをセットする。各メモリの出力がセンサ出力器の出力として出力される。また、メモリクリア信号を受けると各メモリはリセットされる。
【００６０】
センサ信号検出器６内のＤ−ＦＦには図示していない発振器からの内部クロックが供給されている。Ｄ−ＦＦを１段通過するたびに１内部クロック周期の時間遅延が発生するが、間欠信号の周期に比べて十分短いために、センサ信号検出器６内の遅延は０として以下のタイミングの説明を行う。
【００６１】
図１０に間欠信号、連続信号と電源遮断、エッジ検知動作のタイミングを示している。図５との差異は、センサ信号検出器エッジ検出動作が稼動状態になるのが、ＸＥＮＡＢＬＥ信号が立ち上る時だけになっている点である。
前述のように連続信号がＨレベルにある間は、連続検知／間欠検知切替器９の出力であるＸＥＮＡＢＬＥ信号はＬレベルにあり、各センサの電源と、各センサと電源スイッチ１の信号のプルアップ抵抗の電源である５ＶＳにはスイッチ７を通じて５ＶＥ電源が供給されている。スイッチ７で約０．３Ｖの電圧降下が発生するので５ＶＳ電源の電圧は約４．７Ｖになっている。電源が供給されているので各センサと電源スイッチ１の検知動作は稼動状態にある。しかし、センサ信号検出器６のエッジ検知動作は停止状態のままである。
【００６２】
連続信号がＬレベルになると間欠信号によりＸＥＮＡＢＬＥ信号のレベルが変化する。連続信号がＬレベルになったとき間欠信号がＬレベルだったら、図１０の▲１▼に示すようにＸＥＮＡＢＬＥ信号がＨレベルになる。そうするとその瞬間、センサ信号検出器のエッジ検知動作は稼動状態になり、各センサと電源スイッチ１の信号を取り込む。スイッチ遅延器８で発生する遅延１の時間後にはスイッチ７がＯＦＦして５ＶＳは５ＶＥから遮断され、レベル安定化抵抗１１により０Ｖになる。レベル安定化抵抗１１は、５ＶＳの電圧が完全０Ｖまで落ちないでセンサ信号検出器６の入力がＨレベルでもＬレベルでもない不安定な状態になることがないようにするために５ＶＳとＧＮＤ間に挿入する。
【００６３】
同時に各センサと電源スイッチ１の検知動作は停止状態になる。したがって、確実に各センサと電源スイッチ１の検知動作が停止状態になる前の状態を保持できる。
【００６４】
次に▲２▼に示すように間欠信号がＨレベルになると、ＸＥＮＡＢＬＥ信号がＬレベルになり、スイッチ遅延器８で発生する遅延１の時間後はスイッチ７がＯＮして５ＶＳ電源は通電し各センサと電源スイッチの検知動作は稼動状態に戻る。
【００６５】
次に▲３▼に示すようにＸＥＮＡＢＬＥ信号がＨレベルになって、センサ信号検出器６のエッジ検知動作が稼動状態になる時には各センサと電源スイッチ１の検知動作はすでに安定した稼動状態になっている。
【００６６】
図１１に圧板またはＤＦを開閉した場合を例に図９のセンサ信号検出器６の動作を示す。圧板／ＤＦ開閉検知センサ２の出力である圧板開閉信号は、圧板またはＤＦが閉じているときにＨレベルになり、開いているときにＬレベルになる。
【００６７】
図１１の▲１▼に示すように圧板またはＤＦが開けられて圧板開閉信号がＨレベルからＬレベルに変化してから、図１１の▲２▼に示す最初にＸＥＮＡＢＬＥ信号がＨレベルに変化する時、ラッチ１の出力ＯＵＴ信号はＨレベルからＬレベルに変化する。この立ち下がりエッジをエッジ検出器１が検出しＯＵＴ＿Ｆ信号を発生してメモリ１の圧板開信号をＨレベルにする。
【００６８】
図１１の▲３▼に示すように圧板またはＤＦが閉じられてもＸＥＮＡＢＬＥ信号がＨレベルの間はセンサの検知動作停止期間である。また、５ＶＳ電源が０Ｖなので圧板開閉信号はＬレベルのままで変化しない。ＸＥＮＡＢＬＥ信号がＬレベルになり遅延１の時間後にセンサの検知動作稼動期間になり圧板開閉信号がＬレベルからＨレベルに変化するがまだエッジ検知動作停止期間であり、エッジ検出器の出力は変化しない。図１１の▲４▼に示すＸＥＮＡＢＬＥ信号がＨレベルに変化してエッジ検知動作稼動期間になった時に圧板開閉信号がまだＨレベルのままだとラッチ１の出力はＬレベルからＨレベルに変化する。この立上りエッジをエッジ検出器１が検出しＯＵＴ＿Ｒ信号を発生してメモリ１の圧板閉信号をＨレベルにする。
【００６９】
図１１の▲５▼に示すようにメモリクリア信号を受けるとメモリはリセットされ、圧板開信号も圧板閉信号もＬレベルになる。
【００７０】
図１２にＤＦに原稿をセットした場合を例に、第２の実施形態の復帰要求操作検出装置を用いた複写機全体の制御を示す。図７との差異は、センサ信号検出器原稿セットがＨレベルになるのは、原稿有無状態が有り状態になってから最初にＸＥＮＡＢＬＥ信号がＨレベルに変化する時である。
【００７１】
第２の実施形態は図７での説明と異なり、各センサおよび電源スイッチ１の状態が変化したことをセンサ信号検出器６が検出できるのは、センサの消費電力を低減する間欠検知状態のみになる。連続検知状態では、ＸＥＮＡＢＬＥ信号がＬレベルのままなのでセンサ信号検出器６の動作は停止状態になる。
【００７２】
そこで、図８に示すＰＩＯ１４に各センサと電源スイッチ１の信号を接続し、連続検知状態ではＣＰＵ１３はＰＩＯ１４を通して各センサと電源スイッチ１の状態を監視する。
【００７３】
しかし、ＣＰＵ１３が検知を必要とするのが複写機の状態がセンサの消費電力を低減したいスリープモード時のみの場合は、図８に示すＰＩＯ１４を設ける必要はない。
【００７４】
＜第３の実施形態＞
図１３に示す第３の実施形態における復帰要求操作検出装置は、コントローラ４上にあるセンサ信号検出器６、スイッチ７、スイッチ遅延器８、ＰＷＭタイマ１５、レベル安定化抵抗１１と、圧板／ＤＦ開閉検知センサ２、原稿有無検知センサ３、電源スイッチ１からなる。図８との差異は、ＣＰＵ１３に接続されたＰＩＯと連続検知／間欠検知切替器９が削除されていて、タイマ１０がＰＷＭタイマ１５に替わっている。
【００７５】
ＰＷＭタイマ１５は、Ｈレベル出力時間（ＯＦＦ時間）設定レジスタとＬレベル出力時間（ＯＮ時間）設定レジスタを有し、ＣＰＵ１３からデータバスを通じて設定値が書き込まれる。ＰＷＭタイマ１５は、図示していない内部クロック周期を元に、上記の設定レジスタに設定された値に応じた時間のＨレベルとＬレベルを有するパルスを出力する。
【００７６】
センサ信号検出器６の構成に関し、その詳細は第２の実施形態における図９のそれと同様であるので説明を省略する。
【００７７】
図１４にＰＷＭタイマ１５の出力であるＸＥＮＡＢＬＥ信号と電源遮断、エッジ検知動作のタイミングを示している。図１０との差異は、連続信号が無くなったためにＸＥＮＡＢＬＥ信号が常にＨとＬを繰り返していることである。
【００７８】
▲１▼に示すように、ＸＥＮＡＢＬＥ信号が立ち上ると、センサ信号検出器６はエッジ検出動作を開始する。それから遅延１時間後に５ＶＳ電源は０Ｖになり、センサと電源スイッチ１の検知動作は停止する。
【００７９】
次に、ＸＥＮＢＬＥ信号が立ち下がってから遅延１時間後に、５ＶＳ電源は、４．７Ｖになり、センサと電源スイッチ１の検知動作は稼動状態になり、次のＸＥＮＡＢＬＥ信号の立ち下がりに備える。
【００８０】
センサ信号検出器６の動作に関し、その詳細は圧板またはＤＦを開閉した場合を例にとった第２の実施形態における図１１のそれと同様であるので説明を省略する。
【００８１】
図１５にＤＦに原稿をセットした場合を例に第３の実施形態における復帰要求操作検出装置を用いた複写機全体の制御を示す。図１２との差異は、▲２▼に示すＣＰＵ１３が待機状態に戻るために、ＰＳＵ起動信号を書き込むと同時に、ＰＷＭタイマ１５のオフ時間を待機状態用の短い時間に書き込む所である。
【００８２】
第３の実施形態は第２の実施形態と異なり、ＸＥＮＡＢＬＥ信号が常にＨ、Ｌを繰り返しているので、スリープモード時だけでなく、待機時も各センサおよび電源スイッチ１の状態が変化したことをセンサ信号検出器６が検出出来る。そこで、第２の実施形態に示されているＰＩＯ１４に各センサと電源スイッチ１の信号を接続し、連続検知状態ではＣＰＵ１３はＰＩＯ１４を通して各センサと電源スイッチ１の状態を監視する必要はない。
【００８３】
【発明の効果】
以上の説明から明らかなように、本発明によれば以下に述べるような効果が得られる。
【００８４】
請求項１の発明によれば、センサの消費電力を低減する制御と同期してセンサの出力変化検出を停止する制御をするので、センサの消費電力低減を図ると共に、電力低減時にセンサの出力が変化してしまっても、操作者が復帰要求操作をしたと誤検知することを防ぐことができる。
【００８５】
請求項２の発明によれば、センサの消費電力を低減するために、センサの電源供給を遮断するので、センサの消費電力が０になり、もっとも大きな電力低減効果を得られる。
【００８６】
請求項３の発明によれば、センサの出力変化検出を停止する直前のセンサ出力状態を保持しておいて、出力変化検出を停止している期間は、センサの出力変化を見ないので、センサの電力低減時にセンサの出力が変化してしまっても、操作者が復帰要求操作をしたと誤検知することを防ぐことができる。
【００８７】
請求項４の発明によれば、センサの出力変化検出を停止する直前のセンサ出力状態を保持しておいて、センサの出力変化検出を再開したときの状態と比較するので、センサの消費電力を低減している間に操作者が復帰要求操作をしても、センサの消費電力を通常状態に復帰させたときに復帰要求操作があったことを検出することができる。
【００８８】
請求項５の発明によれば、センサの消費電力を低減する制御をする前にセンサの出力変化検知を停止し、センサの消費電力を通常状態に戻す制御をしてから一定時間経ってセンサの動作が安定してからセンサの出力検知を再開するので、センサの消費電力低減時にセンサの出力が変化してしまっても、操作者が復帰要求操作をしたと誤検知することを防ぐことができる。
【００８９】
請求項６の発明によれば、操作者の待ち時間を短くし、センサの動作安定時間を確保するので、操作者が復帰要求操作の応答性を良くし、確実な要求の検知を行うことができる。
【００９０】
請求項７の発明によれば、センサの消費電力の一時的な低減を開始する直前のみセンサの出力の変化を検出する検出手段の動作を行うので、センサの消費電力低減を図ると共に、電力低減時にセンサの出力が変化してしまっても、操作者が復帰要求操作をしたと誤検知することを防ぐことができる。
【００９１】
請求項８の発明によれば、センサからの信号を接続するデジタル入力ポートを有するので、センサ信号検出器が停止状態でもＣＰＵはセンサの状態を監視することができる。
【００９２】
請求項９の発明によれば、スリープモードにおいてはセンサ信号検出器の出力を監視し、待機状態においてはデジタル入力ポートを監視するので、常にセンサの状態を監視することができる。
【００９３】
請求項１０の発明によれば、センサとエッジ検出回路を間欠動作させ、スリープモードやオフモードの省電力状態ではセンサの停止時間を長くし、待機状態や動作状態ではセンサの停止時間を短くすることにより、低電力が重要な省電力状態ではセンサの消費電力をより低減し、検知時間が重要な待機状態や動作状態では短時間で変化を検知できるようにする。
【図面の簡単な説明】
【図１】本発明を適用した複合機能複写機の制御ブロック図である。
【図２】本発明を適用した複合機能複写機のＰＳＵ５のブロック図である。
【図３】第１の実施形態における復帰要求操作検出装置である。
【図４】図３のセンサ信号検出器６の詳細である。
【図５】第１の実施形態における復帰要求操作検出装置の各センサと電源スイッチ１の検知動作状態とセンサ信号検出器６のエッジ検知動作状態の移行タイミングである。
【図６】圧板またはＤＦを開閉した場合での図４のセンサ信号検出器６の動作例である。
【図７】第１の実施形態における、原稿をセットした場合での復帰要求操作検出装置の動作例である。
【図８】第２の実施形態における復帰要求操作検出装置である。
【図９】図８のセンサ信号検出器６の詳細である。
【図１０】第２の実施形態における復帰要求操作検出装置の各センサと電源スイッチ１の検知動作状態とセンサ信号検出器６のエッジ検知動作状態の移行タイミングである。
【図１１】圧板またはＤＦを開閉した場合での図９のセンサ信号検出器６の動作例である。
【図１２】第２の実施形態における、原稿をセットした場合での復帰要求操作検出装置の動作例である。
【図１３】第３の実施形態における復帰要求操作検出装置である。
【図１４】第３の実施形態における復帰要求操作検出装置の各センサと電源スイッチ１の検知動作状態とセンサ信号検出器６のエッジ検知動作状態の移行タイミングである。
【図１５】第３の実施形態における、原稿をセットした場合での復帰要求操作検出装置の動作例である。
【図１６】従来の復帰要求操作検出装置である。
【図１７】図１６のセンサ信号検出器６の詳細である。
【符号の説明】
１　電源スイッチ
２　圧板／ＤＦ開閉検知センサ
３　原稿有無検知センサ
４　コントローラ
５　ＰＳＵ
６　センサ信号検出器
７　スイッチ
８　スイッチ遅延器
９　連続検知／間欠検知切替器
１０　タイマ
１１　レベル安定化抵抗
１２　割込みコントローラ
１３　ＣＰＵ
１４　ＰＩＯ
１５　ＰＷＭタイマ
【図１】
2004139008.tif 000003
【図２】
2004139008.tif 000004
【図３】
2004139008.tif 000005
【図４】
2004139008.tif 000006
【図５】
2004139008.tif 000007
【図６】
2004139008.tif 000008
【図７】
2004139008.tif 000009
【図８】
2004139008.tif 000010
【図９】
2004139008.tif 000011
【図１０】
2004139008.tif 000012
【図１１】
2004139008.tif 000013
【図１２】
2004139008.tif 000014
【図１３】
2004139008.tif 000015
【図１４】
2004139008.tif 000016
【図１５】
2004139008.tif 000017
【図１６】
2004139008.tif 000018
【図１７】
2004139008.tif 000019